(57)【特許請求の範囲】
【請求項１】
ディスク型記録媒体に記録されている画像および音声の再生動作が停止したときに、その時点で装填されている前記ディスク型記録媒体の識別情報と停止時再生箇所とを少なくとも含む停止位置特定データを生成して格納する特定データ生成格納手段と、
前記特定データ生成格納手段によって格納された１あるいは複数の前記停止位置特定データに基づいて、前記ディスク型記録媒体を特定する情報と前記停止時再生箇所とを含む選択メニューを表示する選択メニュー表示手段と、
前記選択メニューに含まれるいずれかの前記停止時再生箇所が選択されたときであって、対応する前記ディスク型記録媒体が装填されているときに、このディスク型記録媒体の前記停止時再生箇所から画像および音声の再生を行うデータ再生手段と、
を備えることを特徴とするディスク再生装置。
【請求項２】
請求項１において、
前記選択メニュー表示手段は、前記選択メニューを表示する際に、その時点で装填されている前記ディスク型記録媒体に対応する表示領域の少なくとも一部を強調して表示を行うことを特徴とするディスク再生装置。
【請求項３】
請求項１または２において、
前記選択メニューが表示されているときに、いずれかの前記停止位置特定データに対応させて所定のコメント入力を行うコメント入力手段をさらに備えることを特徴とするディスク再生装置。
【発明の詳細な説明】
【０００１】
【発明の属する技術分野】
本発明は、デジタルバーサタイルディスク（ＤＶＤ）等の再生動作を行うディスク再生装置に関する。
【０００２】
【従来の技術】
近年、ディスク型記録媒体としてＤＶＤが注目されている。このＤＶＤは、直径が１２ｃｍで厚さが１．２ｍｍであり、ＣＤ（コンパクトディスク）と同じ形状ながら、記録密度を上げることにより単層で４．７ＧＢ、２層で８．５ＧＢの記憶容量を実現している。
【０００３】
また、ＤＶＤには、ＭＰＥＧ２による画像データ圧縮技術やオーディオデータ圧縮技術の採用により、様々な種類のデータが混在して格納されているとともに、各種の機能を実現するための制御データが格納されている。ＤＶＤに映画を記録する場合を考えると、通常はビデオデータやオーディオデータが格納されるが、例えば、これら以外に複数の言語の字幕データを格納しておくことにより、利用者が選択した言語の字幕を表示することが可能となる。また、映画監督や出演者のプロフィール等の静止画データを格納しておくことにより、利用者の操作によってこれらの内容を表示することが可能になる。さらに、再生動作を一時停止してその後再開した場合に、停止位置から再び再生を開始する機能（プリストップ機能）を実現することもできる。ＤＶＤ再生装置は、ＤＶＤから様々なデータを読み出してこれら各種機能を実現するため動作を行う。
【０００４】
【発明が解決しようとする課題】
上述した従来のＤＶＤ再生装置におけるプリストップ機能は、ＤＶＤに記録されたデータを検出するための光ピックアップを再生動作が停止したときの位置に留めておいて、再生動作の再開が指示されたときに、直ちに停止位置から再生動作を開始することにより実現される。
【０００５】
しかし、再生動作を完全に停止して電源を落とした場合等においては、光ピックアップは元の位置（例えばＤＶＤの最内周に記録されたデータを読み取る位置）に戻される。したがって、このような場合に停止位置から再生動作を再開するためには、利用者は、ＤＶＤ再生装置に対して、再生、早送り、巻き戻し等の各種の指示を送って停止位置を探さなければならず、操作が煩雑になって、停止位置からの再生動作を行うことは容易ではなかった。
【０００６】
本発明は、このような点に鑑みて創作されたものであり、その目的は、停止位置からの再生動作を容易に行うことができるディスク再生装置を提供することにある。
【０００７】
【課題を解決するための手段】
上述した課題を解決するために、本発明のディスク再生装置は、ディスク型記録媒体に記録されている画像および音声の再生動作が停止したときに、その時点で装填されているディスク型記録媒体の識別情報と停止時再生箇所とを少なくとも含む停止位置特定データを特定データ生成格納手段によって生成して格納しておいて、この１あるいは複数の停止位置特定データに基づいて、選択メニュー表示手段によって、ディスク型記録媒体を特定する情報と停止時再生箇所とを含む選択メニューを表示している。そして、利用者によって、この選択メニューに含まれるいずれかの停止時再生箇所が選択されたときであって、対応するディスク型記録媒体が装填されているときに、選択された停止時再生箇所から画像および音声の再生が行われる。したがって、利用者は選択メニューを見ながら、記録されている停止位置から再生を行いたいディスク型記録媒体と所望の停止位置を指定することができ、特定のディスク型記録媒体の特定の停止位置からの再生動作を行うことが容易になる。
【０００８】
また、上述した選択メニュー表示手段は、選択メニューを表示する際に、その時点で装填されているディスク型記録媒体に対応する表示領域の少なくとも一部を強調して表示を行うことが望ましい。停止位置特定データが生成されているディスク型記録媒体が複数ある場合に、実際に装填されているディスク型記録媒体の確認が容易になり、装填されていないディスク型記録媒体に対応する選択項目を誤って選択してしまうことを未然に防止することができる。
【０００９】
また、上述した選択メニューが表示されているときに、いずれかの停止位置特定データに対応させて所定のコメント入力を行うコメント入力手段をさらに備えることが望ましい。同じディスク型記録媒体に対応する停止位置特定データを生成した場合等においては、相互に区別がつきにくくなるが、各停止位置特定データに対応させてコメントを付することができればこのような不都合がなくなり、利用者は、所望のディスク型記録媒体の特定の停止位置から確実に再生動作を継続して行うことができる。
【００１０】
【発明の実施の形態】
以下、本発明を適用した一実施形態のＤＶＤ再生装置について図面を参照しながら説明する。
【００１１】
（１）ＤＶＤに記録されたデータの内容
まず、ディスク型記録媒体としてのＤＶＤに記録されたデータの詳細について説明する。図１は、ＤＶＤのボリューム空間の構造を示す図である。同図に示すように、ＤＶＤのボリューム空間は、ＤＶＤの内周から外周に向かって、ボリューム・ファイル構造、ＤＶＤ−Ｖｉｄｅｏゾーン、ＤＶＤ  ｏｔｈｅｒゾーンによって構成されている。これらのうち、ＤＶＤ−Ｖｉｄｅｏゾーンには、再生動作に必要な各種のデータが含まれている。ＤＶＤ−Ｖｉｄｅｏゾーンは、ビデオマネージャ（ＶＭＧ）と各タイトルに対応する１つ以上のビデオタイトルセット（ＶＴＳ）によって構成されている。
【００１２】
図２は、ＶＭＧのデータ構造を示す図である。同図に示すように、ＶＭＧは、ビデオマネージャ情報（ＶＭＧＩ）、ＶＭＧメニュー用ビデオオブジェクトセット（ＶＭＧＭ＿ＶＯＢＳ）、ＶＭＧＩのバックアップ用ファイル（ＶＭＧＩ＿ＢＵＰ）によって構成されている。
【００１３】
ＶＭＧＩは、ＶＴＳに関する情報（ＶＴＳの数、各ＶＴＳを識別するためのＶＴＳ番号、ＤＶＤ内の各ＶＴＳの格納位置等）、タイトルメニューに表示されるタイトルの表示順、１つ以上のプログラムチェーン情報（ＰＧＣＩ）、ＤＶＤを識別するためのディスクＩＤ（ＤＶＤ＿ＩＤ）、ディスク名（例えば映画の題名）等が含まれている。ＶＭＧＭ＿ＶＯＢＳは、１つ以上のビデオオブジェクト（ＶＯＢ）によって構成されている。このＶＯＢは、タイトルを選択するためのメニュー画面（タイトルメニュー画面）を再生する際の再生データであるビデオデータを含んでいる。
【００１４】
図３は、ＶＴＳのデータ構造を示す図である。同図に示すように、ＶＴＳは、ビデオタイトルセット情報（ＶＴＳＩ）、ＶＴＳメニュー用ビデオオブジェクトセット（ＶＴＳＭ＿ＶＯＢＳ）、ＶＴＳタイトル用ビデオオブジェクトセット（ＶＴＳＴＴ＿ＶＯＢＳ）、ＶＴＳＩのバックアップ用ファイル（ＶＴＳＩ＿ＢＵＰ）によって構成されている。
【００１５】
ＶＴＳＩは、タイトルに関する情報、ＶＴＳ内の各チャプタ（ＰＴＴ）を識別するためのＰＴＴ番号、１つ以上のＰＧＣＩ等が含まれている。ＶＴＳＭ＿ＶＯＢＳおよびＶＴＳＴＴ＿ＶＯＢＳは、１つ以上のＶＯＢによって構成されている。このＶＯＢは、ビデオデータやオーディオデータ等の再生データを含んでいる。
【００１６】
タイトルの再生データは、ＶＴＳＴＴ＿ＶＯＢＳ内のＶＯＢ＃１〜＃ｉに含まれている。チャプタは、タイトルを分割した単位であり、チャプタの再生データは、ＶＴＳＴＴ＿ＶＯＢＳ内の１あるいは複数のＶＯＢに含まれる。例えば、図３に示すように、タイトルはチャプタ＃１〜＃ｐに分割されており、チャプタ＃１の再生データはＶＯＢ＃１〜＃３に含まれており、チャプタ＃２の再生データは、ＶＯＢ＃４、＃５に含まれている。
【００１７】
図４は、上述したＶＭＧＭ＿ＶＯＢＳ、ＶＴＳＭ＿ＶＯＢＳ、ＶＴＳＴＴ＿ＶＯＢＳに含まれるＶＯＢのデータ構造を示す図である。同図に示すように、ＶＯＢは、複数のセルによって構成されている。そして、各セルは、複数のビデオオブジェクトユニット（ＶＯＢＵ）によって構成されている。各ＶＯＢＵは、ナビゲーションパック（ＮＶ＿ＰＣＫ）と、ビデオパック（Ｖ＿ＰＣＫ）、サブピクチャパック（ＳＰ＿ＰＣＫ）およびオーディオパック（Ａ＿ＰＣＫ）の少なくとも１つを含んで構成されている。
【００１８】
ＮＶ＿ＰＣＫは、再生制御情報（ＰＣＩ）、データサーチ情報（ＤＳＩ）を含んで構成されている。ＰＣＩとＤＳＩには、ＶＯＢＵのデータ量、タイトルの再生を開始してから対応するＶＯＢＵの再生を開始するまでの再生時間、次に再生すべきＶＯＢＵの位置等の情報が設定されている。
【００１９】
Ｖ＿ＰＣＫ、ＳＰ＿ＰＣＫ、Ａ＿ＰＣＫは、それぞれ再生データの種別（動画、サブピクチャ、オーディオ）等の情報が含まれているパックヘッダ、パケットヘッダや、データ圧縮されたビデオデータ、サブピクチャデータ、オーディオデータ（圧縮再生データ）を含んで構成されている。
【００２０】
ＭＰＥＧ２による画像データ圧縮技術を採用する場合には、１つのＶＯＢＵ内の全てのビデオパックによってＧＯＰ（Group Of Pictures）が構成される。このＧＯＰには、０．５秒程度の再生時間に相当する画像データが含まれている。具体的には、ＧＯＰには、少なくとも１つのＩピクチャ（フレーム内符号化画像）に対応する画像データと、周期的に挿入される複数のＰピクチャ（フレーム間順方向予測符号化画像）に対応する画像データと、ＩピクチャとＰピクチャの間あるいは２つのＰピクチャの間に挿入される複数のＢピクチャ（双方向予測符号化画像）に対応する画像データが含まれている。
【００２１】
再生動作における論理的な再生単位であるプログラムチェーン（ＰＧＣ）は、プログラムチェーン情報（ＰＧＣＩ）と、１あるいは複数のＶＯＢに含まれる複数のセルによって構成される。例えば、ＶＭＧＩ内の１個のＰＧＣＩとＶＭＧＭ＿ＶＯＢＳ内のＶＯＢに含まれるセルによってＰＧＣが構成される。また、ＶＴＳＩ内の１個のＰＧＣＩとＶＴＳＭ＿ＶＯＢＳ内のＶＯＢに含まれるセルによってＰＧＣが構成される。あるいは、ＶＴＳＩ内の１個のＰＧＣＩとＶＴＳＴＴ＿ＶＯＢＳ内のＶＯＢに含まれるセルによってＰＧＣが構成される。
【００２２】
ＶＭＧＩ内のＰＧＣＩとＶＭＧＭ＿ＶＯＢＳ内のＶＯＢに含まれるセルによって構成されるＰＧＣは、タイトルメニューを表示するとともに、このタイトルメニュー内のいずれかの項目が選択されたときに、対応するデータの再生箇所を特定するためのものである。また、ＶＴＳＩ内のＰＧＣＩとＶＴＳＴＴ＿ＶＯＢＳ内のＶＯＢに含まれるセルによって構成されるＰＧＣは、タイトルメニュー内のいずれかの項目が選択されたときに、対応する内容の再生を行うために必要な各種のデータが含まれる。
【００２３】
図５は、ＰＧＣの構造の一例を示す図であり、ＶＴＳＩ内のＰＧＣＩとＶＴＳＴＴ＿ＶＯＢＳ内のＶＯＢに含まれるセルによって構成されるＰＧＣの構造が示されている。同図に示すように、例えば、ＰＧＣ＃１は、ＶＴＳＩ内のＰＧＣＩ＃１とＶＴＳＴＴ＿ＶＯＢＳ内のＶＯＢ＃１〜＃３に含まれるセルによって構成されている。また、ＰＧＣ＃２は、ＶＴＳＩ内のＰＧＣＩ＃２とＶＴＳＴＴ＿ＶＯＢＳ内のＶＯＢ＃４、＃５に含まれるセルによって構成されている。これらのＰＧＣは、ＰＧＣ番号によって特定される。このＰＧＣ番号は、ＶＭＧＩ内におけるＰＧＣＩの格納順によって決定される。例えば、図５に示すＰＧＣにおいては、ＶＭＧ内にＰＧＣＩ＃１、ＰＧＣＩ＃２の順でＰＧＣが格納されているため、ＰＧＣＩ＃１を含んで構成されるＰＧＣ＃１のＰＧＣ番号は「１」、ＰＧＣＩ＃２を含んで構成されるＰＧＣ＃２のＰＧＣ番号は「２」となる。
【００２４】
なお、ＶＭＧＩ内のＰＧＣＩとＶＭＧＭ＿ＶＯＢＳのＶＯＢ内のセルによって構成されるＰＧＣや、ＶＴＳＩ内のＰＧＣＩとＶＴＳＭ＿ＶＯＢＳのＶＯＢ内のセルによって構成されるＰＧＣも、図５に示したＰＧＣと同様の構造を有している。また、ＰＧＣＩには、対応する複数のＶＯＢの再生順序や、次に再生動作を行うＰＧＣに関する情報等が含まれている。
【００２５】
再生動作の際に実行されるナビゲーションコマンドには、利用者の操作指示に対応して実行されるボタンコマンド（ＢＴＮ＿ＣＭＤ）、ＰＧＣの再生開始前に実行されるプリコマンド（ＰＲＥ＿ＣＭＤ）、ＰＧＣ内の１つのセルの再生が終了するごとに実行されるセルコマンド（Ｃ＿ＣＭＤ）、ＰＧＣの再生終了後に実行されるポストコマンド（ＰＯＳＴ＿ＣＭＤ）がある。これらの内、ＢＴＮ＿ＣＭＤは、上述したＰＣＩに含まれており、ＰＲＥ＿ＣＭＤ、Ｃ＿ＣＭＤ、ＰＯＳＴ＿ＣＭＤは、上述したＰＧＣＩに含まれている。
【００２６】
ナビゲーションコマンドの実行時には、ナビゲーションパラメータが変数として用いられる。このナビゲーションパラメータには、システムパラメータ（ＳＰＲＭ）とゼネラルパラメータ（ＧＰＲＭ）とがあり、ＤＶＤ再生装置の内部にそれぞれの格納領域が設けられる。ＳＰＲＭとＧＰＲＭは、ナビゲーションコマンドの実行に応じて設定あるいは更新され、それ以降のナビゲーションコマンドの実行時に変数として用いられる。
【００２７】
（２）ＤＶＤ再生装置の全体構成
図６は、本発明を適用した一実施形態のＤＶＤ再生装置の全体構成を示す図である。同図に示すＤＶＤ再生装置１００は、ＤＶＤ１０に記録された信号を読み取るためのスピンドルモータ１２、光ピックアップ１４、送りモータ１６およびサーボ制御部１８と、読み取った信号の増幅等を行って画像表示や音声出力を行うためのＲＦアンプ２２、デジタル信号処理部２４、４個のバッファ用ＲＡＭ２６、３４、３８、４２、ストリーム分離部３０、オーディオデコーダ３２、ビデオデコーダ３６、サブピクチャデコーダ４０、ビデオプロセッサ４４、ビデオエンコーダ４６、ディスプレイ装置４７、デジタル−アナログ（Ｄ／Ａ）変換器４８およびスピーカ４９と、利用者が各種の操作指示を入力するための操作部５８と、ＤＶＤ再生装置１００の全体を制御するためのシステムコントローラ６０、ＲＡＭ６２とを含んで構成されている。
【００２８】
スピンドルモータ１２は、ＤＶＤ１０を一定の線速度で回転させる。光ピックアップ１４は、ＤＶＤ１０に記録されたデータを検出するものであり、例えば半導体レーザとホトダイオードとが内蔵されている。送りモータ１６は、光ピックアップ１４をＤＶＤ１０の径方向に移動させるものである。
【００２９】
サーボ制御部１８は、システムコントローラ６０の指示に応じて、上述したスピンドルモータ１２および送りモータ１６を駆動するとともに、光ピックアップ１４に内蔵された対物レンズ（図示せず）を動かすことにより半導体レーザの焦点位置をＤＶＤ１０の記録面と垂直方向および水平方向に移動させる。また、サーボ制御部１８は、ＤＶＤ１０からのデータの読み取りに必要な各種のサーボ（フォーカスサーボ、トラッキングサーボ、回転サーボ）制御を行う。
【００３０】
ＲＦアンプ２２は、光ピックアップ１４に内蔵されたホトダイオードから出力される電気信号を増幅するものであり、ＤＶＤ再生装置１００に大きな振動や衝撃等が加わってトラックジャンプが発生すると、トラックジャンプ検出信号を出力する機能も有している。
【００３１】
デジタル信号処理部２４は、ＲＦアンプ２２から出力される信号に対して、デジタルデータに変換した後にＤＶＤ１０のデータフォーマットに応じた信号復調処理（８−１６復調処理）と誤り訂正処理を行い、ＲＡＭ２６に格納する。そして、デジタル信号処理部２４は、システムコントローラ６０の指示に応じて、ＲＡＭ２６に格納したデータからＶＭＧＩやＶＴＳＩを抽出してシステムコントローラ６０に出力するとともに、ＶＯＢＵを抽出してストリーム分離部３０に出力する。
【００３２】
ストリーム分離部３０は、システムコントローラ６０の指示に応じて、デジタル信号処理部２４から出力されるＶＯＢＵを構成するパックヘッダを解析することにより、オーディオパック（Ａ＿ＰＣＫ）、ビデオパック（Ｖ＿ＰＣＫ）、サブピクチャパック（ＳＰ＿ＰＣＫ）、ナビゲーションパック（ＮＶ＿ＰＣＫ）を分離する。ストリーム分離部３０によって分離されたオーディオパックはオーディオデコーダ３２に出力され、ビデオパックはビデオデコーダ３６に出力され、サブピクチャパックはサブピクチャデコーダ４０に出力され、ナビゲーションパックはシステムコントローラ６０に転送される。
【００３３】
オーディオデコーダ３２は、ストリーム分離部３０から出力されるオーディオパックに対して所定のデコード処理を行ってオーディオデータを出力する。ビデオデコーダ３６は、ストリーム分離部３０から出力されるビデオパックに対して所定のデコード処理を行ってビデオデータを出力する。ＭＰＥＧ２による画像データ圧縮技術を採用する場合には、ビデオデコーダ３６は、ストリーム分離部３０から出力される複数のビデオパックに含まれるＩピクチャに対応する画像データ、Ｐピクチャに対応する画像データ、Ｂピクチャに対応する画像データに基づいて、Ｉピクチャ、Ｐピクチャ、Ｂピクチャの３種類のビデオデータを生成して出力する。サブピクチャデコーダ４０は、ストリーム分離部３０から出力されるサブピクチャパックに対して所定のデコード処理を行ってサブピクチャデータを出力する。
【００３４】
ビデオプロセッサ４４は、システムコントローラ６０の指示に応じて、ビデオデコーダ３６から出力されるビデオデータとサブピクチャデコーダ４０から出力されるサブピクチャデータとを合成した画像データを生成し、ビデオエンコーダ４６に出力する。ビデオエンコーダ４６は、ビデオプロセッサ４４から出力される画像データを表示用の画像信号に変換する。この画像信号がディスプレイ装置４７に出力されることによって、画像が表示される。
【００３５】
Ｄ／Ａ変換器４８は、オーディオデコーダ３２から出力されるオーディオデータをアナログのオーディオ信号に変換する。このオーディオ信号がスピーカ４９に出力されることによって、オーディオ音声の再生が行われる。
【００３６】
操作部５８は、タイトル再生の指示を与えるための再生キーやタイトル再生の停止を指示するための停止キー、タイトル再生の一時停止を指示するための一時停止キー、再生動作が停止した位置を記録する指示を与えるための停止位置記録キー、後述する停止位置メニュー画面を表示する指示を与えるための停止位置メニュー画面表示キー、左右上下のカーソルキー、表示画面上のカーソル位置にある項目の確定を行う設定キー等の各種操作キーを備えており、キーの操作状態に応じた信号がシステムコントローラ６０に向けて出力される。
【００３７】
システムコントローラ６０は、各種のサーボ指令をサーボ制御部１８に出力したり、利用者の操作指示に応じた画像生成指示をビデオプロセッサ４４に出力する等、全機能ブロックの制御を行う。具体的には、システムコントローラ６０は、デジタル信号処理部２４から出力されるデータに含まれるＶＭＧＩ、ＶＴＳＩ、ストリーム分離部３０から出力されるＮＶ＿ＰＣＫを受け取って、これらに含まれるナビゲーションコマンドを実行することにより、各種のサーボ指令をサーボ制御部１８に出力したり、利用者の操作指示に応じた画像生成指示をビデオプロセッサ４４に出力する等、再生動作に必要な各種の制御を行う。また、システムコントローラ６０は、内蔵メモリ（図示せず）をナビゲーションパラメータ（ＳＰＲＭとＧＰＲＭ）の格納領域として用いて、ナビゲーションコマンドの実行に応じてＳＰＲＭとＧＰＲＭを設定あるいは更新して、それ以降のナビゲーションコマンドの実行時に変数として用いる。
【００３８】
また、システムコントローラ６０は、タイトルの再生中に、利用者によって操作部５８の停止位置記録キーが押下されて再生動作を停止した位置（以下、「停止位置」と称する）を記録する指示がされ、さらに利用者によって操作部５８の停止キーや一時停止キーが押下されて再生動作が停止あるいは一時停止された場合には、その停止位置を特定するための停止位置特定データを生成して、ＲＡＭ６２に格納する。なお、ＲＡＭ６２は、不揮発性メモリであり、ＤＶＤ再生装置１０の電源が落とされた場合にも、蓄積されている停止位置特定データをそのまま保持する。
【００３９】
図７は、停止位置特定データの一例を示す図である。同図に示すように、停止位置特定データは、データの生成年月日、ＤＶＤ再生装置１００に装填されているＤＶＤ１０のディスク名、停止する際に再生されていたタイトルに対応するＶＴＳのＶＴＳ番号、停止する際に再生されていたチャプタに対応するＰＴＴ番号、タイトルの再生を開始してから停止位置に至るまでの再生時間（停止位置時間）によって構成されている。データの生成年月日は、ＤＶＤ再生装置１００に内蔵されている時計（図示せず）に基づいて設定される。ＤＶＤ１０の識別情報としてのディスク名には、上述したＶＭＧＩに含まれるディスク名が設定される。また、停止する際に再生されていたタイトルに対応するＶＴＳのＶＴＳ番号には、上述したＶＭＧＩに含まれるＶＴＳ番号の中から対応するものが設定される。停止する際に再生されていたチャプタに対応するＰＴＴ番号には、ＶＴＳＩ内のＰＴＴ番号の中から対応するものが設定される。停止位置時間は、停止時再生箇所を特定するためのものであり、停止するまでに再生されていたＶＯＢＵ内のＮＶ＿ＰＣＫのＰＣＩやＤＳＩに含まれる「タイトルの再生を開始してから対応するＶＯＢＵの再生を開始するまでの再生時間」に、そのＶＯＢＵの再生を開始してから再生動作が停止するまでの時間を加算した時間が設定される。
【００４０】
また、利用者によって操作部５８の停止位置メニュー画面表示キーが押下された場合には、システムコントローラ６０は、ＲＡＭ６２から全ての停止位置特定データを読み出して、各停止位置に関連する各種情報（停止位置関連情報）を含んだ選択メニューとしての停止位置メニュー画面を表示するための制御を行う。
【００４１】
また、利用者によって操作部５８のカーソルキーが操作されて停止位置メニュー画面に表示されたいずれかの停止位置関連情報にカーソルが合わせられ、さらに設定キーが押下されて停止位置関連情報の選択状態が確定すると、システムコントローラ６０は、選択された停止位置に対応するＤＶＤ１０がＤＶＤ再生装置１００に装填されているか否かを判定する。そして、選択された停止位置に対応するＤＶＤ１０がＤＶＤ再生装置１００に装填されている場合には、システムコントローラ６０は、対応する停止位置特定データに基づいて、各種のサーボ指令をサーボ制御部１８に出力したり、画像生成指示をビデオプロセッサ４４に出力する等、選択された停止位置から画像や音声の再生を開始する制御を行う。
【００４２】
上述したＤＶＤ再生装置１００の全体がデータ再生手段に、システムコントローラ６０、ＲＡＭ６２が特定データ生成格納手段に、システムコントローラ６０、ビデオプロセッサ４４、ビデオエンコーダ４６が選択メニュー表示手段に、システムコントローラ６０、操作部５８がコメント入力手段に、それぞれ対応する。
【００４３】
（３）ＤＶＤ再生装置の動作
次に、上述したＤＶＤ再生装置１００の動作を説明する。図８は、ＤＶＤ再生装置１００による停止位置特定データ生成の動作手順を示す流れ図である。電源が投入されると、システムコントローラ６０は、利用者によってＤＶＤ１０が装填されたか否かを判定する（ステップ１００）。ＤＶＤ１０が装填されると、次にシステムコントローラ６０は、オープニング画面を一定時間表示させた後に（ステップ１０１）、タイトルメニュー画面の表示を行う（ステップ１０２）。例えば、ＶＭＧに含まれるＰＧＣＩに基づいて、オープニング画面に対応するＶＯＢが読み出され、所定のオープニング画面の表示が行われる。また、ＶＭＧＩ内のＰＧＣＩ＿ＵＴ（プログラムチェーン情報ユニットテーブル）に基づいて、オープニング画面の次に表示されるタイトルメニューの再生位置が特定できるため、続けてタイトルメニューの表示動作が開始される。
【００４４】
次に、システムコントローラ６０は、タイトルが選択されたか否かを判定する（ステップ１０３）。利用者によって操作部５８のカーソルキーが操作されてタイトルメニューに表示されたタイトルにカーソルが合わせられ、さらに設定キーが押下されてタイトル選択が確定されると、システムコントローラ６０は、選択されたタイトルの再生を開始する制御を行う（ステップ１０４）。
【００４５】
タイトルの再生が開始されると、次に、システムコントローラ６０は、停止位置を記録する指示がされたか否かを判定する（ステップ１０５）。利用者によって操作部５８の停止位置記録キーが押下されて停止位置を記録する指示がされた場合には、システムコントローラ６０は、タイトルの再生が終了したか否かを判定する（ステップ１０６）。タイトルの再生が終了した場合には、一連の動作が終了する。
【００４６】
また、タイトルの再生が終了していない場合には、システムコントローラ６０は、停止位置を記録する指示がされてから所定時間内に、タイトルの再生を停止する指示がされたか否かを判定する（ステップ１０７）。停止位置を記録する指示がされてから所定時間内に、利用者によって操作部５８の停止キーが押下されてタイトル再生の停止が指示された場合には、システムコントローラ６０は、タイトル再生を停止する制御を行う（ステップ１０８）。そして、システムコントローラ６０は、その停止位置に対応する停止位置特定データを生成して、ＲＡＭ６２に蓄積する（ステップ１０９）。
【００４７】
また、停止位置を記録する指示がされてから所定時間内に、タイトルの再生を停止する指示がされなかった場合（ステップ１０７で否定判断した場合）には、システムコントローラ６０は、停止位置を記録する指示がされてから所定時間内にタイトルの再生を一時停止する指示がされたか否かを判定する（ステップ１１０）。
【００４８】
停止位置を記録する指示がされてから所定時間内に、利用者によって操作部５８の一時停止キーが押下されてタイトル再生の一時停止が指示された場合には、システムコントローラ６０は、タイトルの再生を一時停止する制御を行う（ステップ１１１）。そして、システムコントローラ６０は、その停止位置に対応する停止位置特定データを生成して、ＲＡＭ６２に蓄積する（ステップ１１２）。
【００４９】
次に、システムコントローラ６０は、利用者によって操作部５８の再生キーが押下されてタイトル再生の再開が指示されたか否かを判定する（ステップ１１３）。タイトル再生の再開が指示された場合には、システムコントローラ６０は、タイトル再生を再開するための制御を行った後（ステップ１１４）、再び、停止位置を記録する指示がされたか否かの判定（ステップ１０５）以降の動作を繰り返す。
【００５０】
また、停止位置を記録する指示がされてから所定時間内に、タイトルの再生を一時停止する指示されなかった場合（ステップ１１０で否定判断した場合）には、システムコントローラ６０は、再び、停止位置を記録する指示がされたか否かの判定（ステップ１０５）以降の動作を繰り返す。
【００５１】
また、停止位置を記録する指示がされていない場合（ステップ１０５で否定判断した場合）には、システムコントローラ６０は、タイトルの再生が終了したか否かを判定する（ステップ１１５）。タイトルの再生が終了した場合には、一連の動作が終了する。また、タイトルの再生が終了していない場合には、システムコントローラ６０は、再び、停止位置を記録する指示がされたか否かの判定（ステップ１０５）以降の動作を繰り返す。このような動作によって、停止位置特定データが生成され、ＲＡＭ６２に蓄積される。
【００５２】
図９は、停止位置メニュー画面の表示および停止位置からの再生の動作手順を示す流れ図である。システムコントローラ６０は、操作部５８の停止位置メニュー画面表示キーが押下されて、停止位置メニュー画面の表示が指示されたか否かを判定する（ステップ２００）。なお、この判定処理は、通常の画像や音声の再生動作と並行して行われる。
【００５３】
停止位置メニュー画面の表示が指示された場合には、システムコントローラ６０は、ＲＡＭ６２から全ての停止位置特定データを読み出して、停止位置メニュー画面を表示するための制御を行う（ステップ２０１）。
【００５４】
具体的には、システムコントローラ６０は、ＲＡＭ６２から全ての停止位置特定データを読み出して、各停止位置特定データに含まれる、データの生成年月日、ディスク名、ＶＴＳ番号（タイトル番号）、ＰＴＴ番号（チャプタ番号）、停止位置時間を表示する指示をビデオプロセッサ４４に出力する。
【００５５】
また、システムコントローラ６０は、その時に、ＤＶＤ再生装置１００にＤＶＤ１０が装填されているか否かを判定し、装填されている場合には、そのＤＶＤ１０から読み出されたＶＭＧＩ内のディスク名を解析して、そのディスク名がいずれかの停止位置特定データに含まれているか否か、すなわち、装填されているＤＶＤ１０に対応する停止位置があるか否かを判定する。そして、装填されているＤＶＤ１０に対応する停止位置がある場合には、システムコントローラ６０は、停止位置メニュー画面内の対応する表示を強調する指示をビデオプロセッサ４４に出力する。
【００５６】
さらに、利用者によって停止位置に関するコメント（例えば停止指示を行った者の名前）が作成されている場合には、システムコントローラ６０は、各停止位置特定データに含まれるデータに加えて、このコメントを表示する指示をビデオプロセッサに出力する。なお、コメントは、例えば利用者の指示によってディスプレイ装置４７に表示された５０音の一覧表の中から操作部５８のカーソルキーと設定キーの操作によって文字選択が行われることにより作成され、ＲＡＭ６２に格納されるものであり、その作成タイミングは、必ずしも各停止位置特定データを作成した時点でなくてもよく、後からコメントのみを追加するようにしてもよい。
【００５７】
ビデオプロセッサ４４は、システムコントローラ６０から送られてくる指示に応じて、停止位置メニュー画面の画像データを生成し、ビデオエンコーダ４６に出力する。ビデオエンコーダ４６は、ビデオプロセッサ４４から出力される画像データを表示用の画像信号に変換する。この画像信号がディスプレイ装置４７に出力されることによって、停止位置メニュー画面が表示される。
【００５８】
図１０は、停止位置メニュー画面の表示例を示す図である。同図に示すように、停止位置メニュー画面には、停止位置特定データ内の各項目とこれに対応するコメントからなる停止位置関連情報が、最新のものから順に表示される。そして、装填されているＤＶＤ１０のディスク名を含んでいる停止位置関連情報が、部分的に他と異なる色を用いたり、特定の縁取りをする等の手法によって強調表示される。強調表示されることにより、利用者は、装填されているＤＶＤ１０に対応する停止位置を、すなわち、ＤＶＤ１０を交換することなく直ちに再生を開始することができる停止位置を知ることができる。なお、図１０に示した表示例では、停止位置関連情報は、データの記録日（停止位置特定データの生成年月日）順に表示されているが、並び替え可能であり、例えばディスク名順に表示することもできる。
【００５９】
停止位置メニュー画面が表示されると、次にシステムコントローラ６０は、利用者によって操作部５８のカーソルキーが操作されて停止位置メニュー画面に表示されたいずれかの停止位置関連情報にカーソルが合わせられ、さらに設定キーが押下されて、停止位置の選択がされたか否かを判定する（ステップ２０２）。
【００６０】
停止位置が選択された場合には、システムコントローラ６０は、選択された停止位置に対応するＤＶＤ１０がＤＶＤ再生装置１００に装填されているか否かを判定する（ステップ２０３）。選択された停止位置に対応するＤＶＤ１０がＤＶＤ再生装置１００に装填されている場合には、システムコントローラ６０は、対応する停止位置特定データに基づいて、各種のサーボ指令をサーボ制御部１８に出力したり、画像生成指示をビデオプロセッサ４４に出力する等、選択された停止位置から再生を開始する制御を行う（ステップ２０４）。
【００６１】
また、選択された停止位置に対応するＤＶＤ１０がＤＶＤ再生装置１００に装填されていない場合には、システムコントローラ６０は、選択された停止位置から再生を開始することができない旨を表示する制御を行う（ステップ２０５）。
【００６２】
このように、ＤＶＤ再生装置１００では、タイトル再生が停止あるいは一時停止した場合には、停止位置を特定するための停止位置特定データを生成してＲＡＭ６２に蓄積しておき、この停止位置特定データに基づいて停止位置関連情報を含んだ停止位置メニュー画面を表示して、表示されたいずれかの停止位置関連情報が選択された場合には、停止位置特定データに基づいて対応する停止位置から再生動作を開始する。停止位置メニュー画面には、停止位置に関連する各種の情報が表示されるため、利用者は、停止位置の選択を適切に行うことができ、また、停止位置特定データに基づいて対応する停止位置から再生動作を開始することにより、利用者が所望する停止位置からの再生動作を容易に行うことができる。また、停止位置特定データをＲＡＭ６２に格納しておくことにより、直前に停止あるいは一時停止された位置からの再生動作のみならず、それ以前に停止あるいは一時停止された位置からの再生動作をも容易に行うことができる。
【００６３】
また、ＤＶＤ再生装置１００では、装置全体の電源が落とされた場合も、ＲＡＭ６２に停止位置特定データを保持しているため、電源を再び立ち上げた後においても、停止位置からの再生動作を容易に行うことが可能となる。
【００６４】
なお、本発明は上記実施形態に限定されるものではなく、本発明の要旨の範囲内で種々の変形実施が可能である。例えば、上述した実施形態では、停止位置メニュー画面に表示された停止位置関連情報が選択された場合に、対応する停止位置からの再生を開始したが、最新の停止位置関連情報に対応する停止位置については、その停止位置に対応するＤＶＤ１０がディスク再生装置１００に装填されている場合には、停止位置メニュー画面を表示させなくても、利用者による操作部５８の操作によって再生が開始されるようにしてもよい。
【００６５】
また、上述した実施形態では、タイトル再生が停止および一時停止された場合に停止位置特定データを生成したが、タイトル再生が停止した場合にのみ停止位置特定データを生成するようにしてもよい。また、タイトル再生が一時停止した場合にのみ停止位置特定データを生成するようにしてもよい。
【００６６】
また、上述した実施形態では、停止位置記録指示がされた場合にのみ、停止位置特定データを生成したが、停止あるいは一時停止した場合には、常に停止位置特定データを生成するようにしてもよい。また、利用者がＲＡＭ６２に蓄積されている停止位置特定データを削除することができるようにしてもよい。停止位置特定データを削除することにより、停止位置メニュー画面に、必要なくなった停止位置に対応する停止位置関連情報が表示されることを防止することができる。また、停止位置メニュー画面は、必ずしも一画面で表示する必要はなく、停止位置関連情報が多い場合には、複数画面に分けて表示するようにしてもよい。
【００６７】
また、上述した実施形態では、ＤＶＤ再生装置について説明したが、ＣＤやビデオＣＤ等を再生するためのディスク再生装置についても、同様に本発明を適用することができる。
【００６８】
【発明の効果】
上述したように、本発明によれば、選択メニューを見ながら、記録されている停止位置から再生を行いたいディスク型記録媒体と所望の停止位置を指定することができ、特定のディスク型記録媒体の特定の停止位置からの再生動作を行うことが容易になる。
【図面の簡単な説明】
【図１】ＤＶＤのボリューム空間の構造を示す図である。
【図２】ＶＭＧのデータ構造を示す図である。
【図３】ＶＴＳのデータ構造を示す図である。
【図４】ＶＯＢのデータ構造を示す図である。
【図５】ＰＧＣの構造の一例を示す図である。
【図６】一実施形態のＤＶＤ再生装置の全体構成を示す図である。
【図７】停止位置特定データの一例を示す図である。
【図８】本実施形態のＤＶＤ再生装置による停止位置特定データ生成の動作手順を示す流れ図である。
【図９】本実施形態のＤＶＤ再生装置による停止位置メニュー画面の表示および停止位置からの再生の動作手順を示す流れ図である。
【図１０】停止位置メニュー画面の表示例を示す図である。
【符号の説明】
１０  ＤＶＤ
１８  サーボ制御部
２４  デジタル信号処理部
３０  ストリーム分離部
３２  オーディオデコーダ
３６  ビデオデコーダ
４０  サブピクチャデコーダ
４４  ビデオプロセッサ
５８  操作部
６０  システムコントローラ
６２  ＲＡＭ
【図１】
0003642981.tif 000002
【図２】
0003642981.tif 000003
【図３】
0003642981.tif 000004
【図４】
0003642981.tif 000005
【図５】
0003642981.tif 000006
【図６】
0003642981.tif 000007
【図７】
0003642981.tif 000008
【図８】
0003642981.tif 000009
【図９】
0003642981.tif 000010
【図１０】
0003642981.tif 000011